(57)【特許請求の範囲】
【請求項１】
配管途中に設置される逆流防止弁の排液機構から排出口を通って排出される液体を検出する逆流防止弁の排液検知装置において、
前記排出口から排出される液を集める所定空間を有する集液部と、内壁に所定の間隔で配置された複数個の金属片を具備し流れ込む液体により該金属片間が電気的に短絡されることにより前記逆流防止弁から排出される液体を検知する排液検知部を設け、該集液部から流出する液を円滑に該排液検知部の内壁面に導く整流手段を設けたことを特徴とする逆流防止弁の排液検知装置。
【請求項２】
請求項１に記載の逆流防止弁の排液検知装置において、
前記整流手段は前記集液部と前記排液検知部の接続部内面に設け、該接続部の内側に向かって下降する傾斜面であることを特徴とする逆流防止弁の排液検知装置。
【請求項３】
請求項１に記載の逆流防止弁の排液検知装置において、
前記整流手段は前記集液部の液出口に設け、前記排液検知部に流れる液を集中させる仕切であることを特徴とする逆流防止弁の排液検知装置。
【請求項４】
少なくとも函体内に配管途中に設置される逆流防止弁と、該逆流防止弁から排出される液体を検出する前記請求項１又は２又は３に記載の排液検知装置と、前記配管を通る液体を加圧するポンプを格納したことを特徴とするポンプ装置。
【発明の詳細な説明】
【０００１】
【発明の属する技術分野】
本発明は配管途中に設置される逆流防止弁の排水液機構から排出される液を確実に検知することができる逆流防止弁の排液検知装置及びポンプ装置に関するものである。
【０００２】
【従来の技術】
共同住宅、学校、ホテル等の水道本管水圧では給水圧力が不足する建物への給水には、該水道本管と建物内の配管を給水管によって連結し、加圧給水するポンプ装置で加圧して給水する方法が採用されることが多い。この場合、給水ポンプ装置の上流又は下流側の配管の途中に逆流防止弁を設置し、建物内の配管の水が水道本管に逆流しないようにしている。
【０００３】
上記逆流防止弁にはその目的をより確実にするため、逆流防止弁内に逆止弁を２個以上設け、該逆止弁と逆止弁の間に中間室を設けて、逆止弁の不良又は逆圧が生じるような異常事態の際に中間室又はその上流側の水を排水口から排出する排水機構を有する構成のものがある。図１はこの種の逆流防止弁の構造例を示す図である。
【０００４】
図１に示すように、逆流防止弁１０は、ばね１１、１２の弾発力で弁体をシール材を介して弁座１３、１４に押し付ける構造の第１逆止弁１５、第２逆止弁１６を直列に配置し、且つその間に中間室１７を設けた構造である。１次側（上流側）Ａと中間室１７の間にはダイヤフラム１８とそれに連動する逃し弁１９が設けてある。該逆流防止弁１０の前後で逆圧が生じても、第１逆止弁１５及び第２逆止弁１６の逆流防止機能により逆流は生じない。
【０００５】
また、通常の使用状態では、１次側Ａの水圧は中間室１７の水圧より高く、ダイヤフラム１８がばね２０に押し勝って逃し弁１９を閉じるため、漏水することがない。１次側Ａの水圧が低くなり、且つ第１逆止弁１５にごみが挟まり閉止しない場合等、１次側Ａの水圧と中間室１７の水圧が均衡したときには、ばね２０の弾発力がダイヤフラム１８に押し勝って、逃し弁１９を開くことにより中間室１７又は２次側（下流側）Ｂの水を外部に排出する。つまり、逆流防止弁１０に、逆圧が発生し、更に第１逆止弁１５及び第２逆止弁１６が故障しても２次側Ｂの水が１次側Ａに逆流することが防止できるので、吐水空間に匹敵する逆流防止機能を有している。
【０００６】
また、前述の異常状態が発生した場合には、水道水の漏洩が起こることのみならず下流側（２次側）への給水が遮断する可能性がある。このため逆流防止弁１０からの排水を検知し警報等を発する方法がいくつか提案されている。
【０００７】
図２は従来のこの種の逆流防止弁の排水機構から排出される水を検知する排水検知装置の構造例を示す図である。逆流防止弁１０の排水口２１から一定の空間（吐水空間）を設けて集水部２２を設置し、排水口２１から排出される排水を確実に集め検知管２３に誘導する。検知管２３内壁には所定の間隔を設けて排水検知用の複数個（図では一対）の金属片２４、２４を設置し、この金属片２４、２４の間が検知管２３を流れる水流で電気的に短絡されることにより、逆流防止弁１０からの排水を検知するように構成されている。
【０００８】
【発明が解決しようとする課題】
しかしながら、上記構成の逆流防止弁１０の排水口２１内には、排水を司る逃し弁１９等が設置され、排水の流路が複雑な上、圧力水が排出される場合があり、集水部２２内の水の動きが複雑となる。このため、検知管２３の金属片２４、２４を適確に短絡しない場合が生じる。
【０００９】
また、逆流防止弁１０の異常事態の要因はさまざまで、このときの逆流防止弁１０から排出される水量は一定でない。また、異常でない場合でも結露等で集水部２２に水が流れる場合も考えられる。
【００１０】
一般的に逆流防止弁はポンプと組合わせて設置される場合が多く、それらの設置スペースを小さく抑えるためポンプ装置と逆流防止弁を一個に函体に収納した装置として提案されている。このため逆流防止弁の異常を検知する装置も同じ函体に収納することが設置スペースの上からも有利である。
【００１１】
本発明は上述の点に鑑みてなされたもので、逆流防止弁が異常をきたした場合に排水機構から排出口を通って排出される液体を確実に検出し、警報等を発することができる逆流防止弁の排液検知装置、及びこれら逆流防止弁、排液検知装置、ポンプを組合わせてなる設置スペースが小さくて済むポンプ装置を提供することを目的とする。
【００１２】
【課題を解決するための手段】
上記課題を解決するため請求項１に記載の発明は、配管途中に設置される逆流防止弁の排液機構から排出口を通って排出される液体を検出する逆流防止弁の排液検知装置において、排出口から排出される液を集める所定空間を有する集液部と、内壁に所定の間隔で配置された複数個の金属片を具備し流れ込む液体により該金属片間が電気的に短絡されることにより逆流防止弁から排出される液体を検知する排液検知部を設け、該集液部から流出する液を円滑に該排液検知部の内壁面に導く整流手段を設けたことを特徴とする。
【００１３】
また、請求項２に記載の発明は、請求項１に記載の逆流防止弁の排液検知装置において、整流手段は集液部と排液検知部の接続部内面に設け、該接続部の内側に向かって下降する傾斜面であることを特徴とする。
【００１４】
また、請求項３に記載の発明は、請求項１に記載の逆流防止弁の排液検知装置において、整流手段は集液部の液出口に設け、排液検知部に流れる液を集中させる仕切であることを特徴とする。
【００１５】
また、請求項４に記載の発明は、少なくとも函体内に配管途中に設置される逆流防止弁と、該逆流防止弁から排出される液体を検出する前記請求項１又は２又は３に記載の排液検知装置と、配管を通る液体を加圧するポンプを格納したことを特徴とするポンプ装置にある。
【００１６】
【発明の実施の形態】
以下、本発明の実施の形態例を図面に基づいて説明する。図３は請求項２に係る逆流防止弁の排液検知装置の構成を示す図である。図３において、図１及び図２と同一符号を付した部分は同一又は相当部分を示す。なお、他の図面においても同様とする。１０は図１に示す逆流防止弁と同一構成の逆流防止弁である。該逆流防止弁１０の排液機構から排出される水は排水口２１を通って排出される。
【００１７】
排水口２１から排出される水は所定の空間２２ａを有する集水部２２に集められる。集水部２２の底部には検知管２３が連結されており、該検知管２３の内壁には所定の間隔で排水検知用の複数個（図では一対）の金属片２４、２４が設けられている。集水部２２と検知管２３との接続部には集水部２２から流出する水を検知管２３の内側に向かって流す下り勾配の傾斜面（整流面）２５を設けている。これにより、集水部２２に集まった水は該傾斜面２５を伝わって、検知管２３の内壁面へと円滑に流れ、金属片２４と金属片２４の間を電気的に短絡する。
【００１８】
図４は請求項３に係る逆流防止弁の排液検知装置の構成を示す図である。図示するように、排液検知装置では、集水部２２の水出口部に検知管２３に流れる水を集中させる仕切２６を設けている。これにより、集水部２２に集まった水は該仕切２６を越えて、検知管２３の内壁面へと集中して流れ、金属片２４と金属片２４を電気的に短絡する。
【００１９】
なお、上記例では集水部２２から流出する水を検知管２３の内壁面に導く整流手段として、集水部２２と検知管２３との接続部に検知管２３の内側に向かって下り勾配の傾斜面２５や、集水部２２の水出口部に検知管２３に流れる水を集中させる仕切２６を設けているが、集水部２２から流出する水を検知管２３の内壁面に導く整流手段としてはこれに限定されるものではなく、要は集水部２２から流出する水を円滑に検知管２３の内壁面に導く手段であれば、その具体的構成はどのようなものであってもよい。これが請求項１に係る発明の要旨である。
【００２０】
図５は請求項４に係るポンプ装置の構成を示す図であり、図５（ａ）は正面図、図５（ｂ）は側面図である。図示するように、本ポンプ装置は函体４０内に、ボールバルブ付きの吸込管２７に接続されたストレーナ２８及び図１に示す逆流防止弁と同一構成の逆流防止弁１０、該逆流防止弁１０に接続された仕切弁付きのポンプ吸込管２９、該ポンプ吸込管２９に接続されたポンプ３０−１、３０−２が格納されている。
【００２１】
更に該ポンプ３０−１、３０−２の吐出側に接続されたチェッキ弁内蔵プレート３２−１、３２−２、ポンプ吐出配管３３、電磁弁３５が取り付けられた配管３４、該配管３４に接続された吐出管３８、配管３４とポンプ吸込管２９の間に接続されチェッキ弁内蔵プレート３１、圧力タンク３７、三方向ワンタッチ弁３６及び制御盤３９が格納されている。また、上記逆流防止弁１０の排水口２１、集水部２２及び検知管２３も収納されている。また、函体４０の正面には開閉扉４１を設けている。
【００２２】
上記構成のポンプ装置において、吸込管２７が接続された、例えば水道本管の水圧が高い場合は、電磁弁３５を閉じ、ポンプ３０−１、３０−２の運転を停止し、チェッキ弁内蔵プレート３１のチェッキ弁及び吐出管３８を通して水を給水する。水道本管の水圧が低くポンプ３０−１又はポンプ３０−２或いは両ポンプ３０−１及び３０−２による加圧が必要な場合は、電磁弁３５を開いて、ポンプ３０−１又はポンプ３０−２或いはポンプ３０−１及び３０−２を運転し、加圧した水をポンプ吐出配管３３、配管３４及び吐出管３８を通して水を給水する。
【００２３】
逆流防止弁に上記異常をきたした場合は、排水口２１から排出された水は集水部２２に集められ、該集水部２２から傾斜面２５（図３参照）に沿って又は仕切２６（図４参照）を越えて検知管２３の内壁面に集中して流れる。これにより、検知管２３の内壁面に配置された金属片２４、２４が流れ込んだ水により電気的に短絡され、逆流防止弁１０から排出される排水を確実に検知することができる。
【００２４】
制御盤３９には検知管２３の金属片２４、２４の電気的短絡を検知し、逆流防止弁１０に排水の異常が発生したことを警報する異常警報回路等を設ける。
【００２５】
上記のように函体４０内に逆流防止弁１０、排水を検出するための集水部２２及び検知管２３、ポンプ３０−１、３０−２、圧力タンク３７、制御盤３９等ポンプ装置を構成する各機器を収容することにより、省スペースのポンプ装置を提供できる。
【００２６】
なお、上記例では水道本管から給水する場合の逆流防止弁の排水検知装置について述べたが、本発明の排液検知装置は給水に限定されるものではなく、液体を圧送する配管途中に設けられた逆流防止弁の排液機構から排出される液を検出する排液検知装置として広く利用することができる。
【００２７】
【発明の効果】
以上説明したように、請求項１乃至３の各項に記載の発明によれば、集液部から流出する液を円滑に排液検知部の内壁面に導く整流手段を設けたので、集液部から排液検知部に液が流れると排液検知部の内壁面に設けられた金属片間が確実に電気的に短絡されるから、逆流防止弁に異常が発生し排液機構から液が流出した場合それを確実に検知し警報等を発することが可能となる。
【００２８】
また、請求項４に記載の発明によれば、少なくとも逆流防止弁と、請求項１又は２又は３に記載の排液検知装置及び液体を加圧するポンプを函体に格納したので、省スペースのポンプ装置を提供することができる。
【図面の簡単な説明】
【図１】逆流防止弁の構造例を示す図である。
【図２】従来の逆流防止弁の排水検知装置の構造例を示す図である。
【図３】本発明に係る逆流防止弁の排液検知装置の構造例を示す図である。
【図４】本発明に係る逆流防止弁の排液検知装置の構造例を示す図である。
【図５】本発明に係るポンプ装置の構成を示す図で、図５（ａ）は正面図、図５（ｂ）は側面図である。
【符号の説明】
１０            逆流防止弁
１１            ばね
１２            ばね
１３            弁座
１４            弁座
１５            第１逆止弁
１６            第２逆止弁
１７            中間室
１８            ダイヤフラム
１９            逃し弁
２０            ばね
２１            排水口
２２            集水部
２３            検知管
２４            金属片
２５            傾斜面（整流面）
２６            仕切
２７            吸込管
２８            ストレーナ
２９            ポンプ吸込管
３０−１        ポンプ
３０−２        ポンプ
３１            チェッキ弁内蔵プレート
３２−１        チェッキ弁内蔵プレート
３２−２        チェッキ弁内蔵プレート
３３            ポンプ吐出配管
３４            配管
３５            電磁弁
３６            三方向ワンタッチ弁
３７            圧力タンク
３８            吐出管
３９            制御盤
４０            函体
４１            開閉扉
【図１】
0003683423.tif 000002
【図２】
0003683423.tif 000003
【図３】
0003683423.tif 000004
【図４】
0003683423.tif 000005
【図５】
0003683423.tif 000006